(57)【要約】【目的】歯ブラシのブラシ毛の届き難い歯間、歯の谷間、歯の周囲表面にブラシ毛を到達し易くする事と、その到達表面の押圧力、磨き回数を平均化出来る歯ブラシを提供する事にある。【解決手段】歯ブラシ基軸１上に、複数列のブラシ毛列群２を設け、各ブラシ毛列群２は、植毛無しの空間隔を設けて配列した事を特徴とし、各ブラシ毛列郡の長手方向中央毛は高くして略３角形を構成し、ブラシ基軸１幅方向のブラシ毛並びの毛（歯の高さ方向）は高さを同一に構成して、歯間及び歯周を押圧力も、ブラッシング回数も、平均的にブラッシング可能な歯ブラシを提供する事に依って問題点を解決する。【選択図】  図３
2004237031.tif 000002
【特許請求の範囲】
【請求項１】
歯ブラシ基軸１上に複数列のブラシ毛列群２を設け、各ブラシ毛列群２は、植毛無しの空間隔を設けて配列した事を特徴とした歯間及び歯周を平均的にブラッシング可能な歯ブラシ。
【請求項２】
前記ブラシ毛列群２の列幅中央を歯ブラシ基軸１の長手方向に略３角形に高く構成し、歯ブラシ基軸１幅方向は同一高さにした事を特徴とした第１項記載の歯間及び歯周を平均的にブラッシング可能な歯ブラシ。
【請求項３】
前記ブラシ毛列郡２の空間隔部の基軸１の１部を、細く３を構成した事を特徴とした第１項記載の歯間及び歯周を平均的にブラッシング可能な歯ブラシ。
【発明の詳細な説明】
【０００１】
【発明が属する技術分野】
本発明は、歯と歯の谷間、隙間、歯垢ポケット等の細密な部分と歯周の広い部分迄平均的に磨く事（ブラッシング）と、歯間、歯周面へ押圧力が平均的に出来る歯ブラシに関する。
【従来の技術】
【０００２】
一般の歯ブラシは（特公開２００２−８５１５９）の様に、歯ブラシのヘッドに均一な太さの毛が周密に植毛されたり、太さを変えた毛を植毛したり、或いは（特公開平６−２１７８２７）の様に毛の高さを変えて植毛して構成されていたり、様々な工夫がされているが、その植毛された部分は連続的にブラシ毛が植毛されている。これらの歯ブラシを使い、必要に応じて歯磨き粉を付けて磨く時、そのブラシ毛の当たる歯の表面は良く磨く事は出来るが、歯と歯の隙間、谷間は歯と歯茎等の境界部位等には毛が届き難い為完全に磨き取る事が出来無い事と、全体に植毛されている為に、毛の当たり易い歯表面にはブラシ当たり回数が多く強く当たり歯表面の磨耗が問題に成る、又、植毛が密で有るためにブラシ毛同士が支えあって反発力となって必要以上の歯表面への押圧力とも成り磨耗促進の原因とも成る。又、毛の間に滓などの異物が入った時に取り難い等の欠点も有る。
【０００３】
又、歯間ブラシを使い歯と歯の隙間に直径の小さなブラシを差し込んでブラッシングをするが、歯の間に挟み込む様に差し込むので使用前より歯の隙間が空いたり、隙間の少ない歯間は無理に差し込む等で歯茎を摩擦し過ぎたり表皮組織に炎症を起こしたり、又、歯間ブラシを別途購入して使用しなければ成らない等の問題が有った。
【発明が解決しようとする課題】
全ての植毛が同じ長さ、毛の太さの変化等強さの変化、或いは植毛に凹凸が設けて有っても、構造的に人間の歯並びの凹凸に合わせて構成する事は不可能で有って、そのブラシ毛が全ての歯間空間に到達する事は出来ない。これらのブラシ毛の届き難い歯間、歯の谷間、歯の周囲表面にブラシ毛を到達させる事と、その各到達表面の押圧力、磨き回数がより平均化出来る歯ブラシを提供し、歯を清潔で歯表面の象牙質を不必要に磨耗させないで歯の健康状態を維持する事に有る。
【０００４】
【課題を解決するための手段】
本発明は、歯ブラシ基軸１上に、複数列のブラシ毛列群２を設け、各ブラシ毛列群２は、植毛無しの空間隔を設けて配列した事を特徴とし、各ブラシ毛列郡の長手方向中央毛は高くして略３角形を構成し、ブラシ基軸１幅方向のブラシ毛並びの毛（歯の高さ方向）は高さを同一に構成して、歯間及び歯周を押圧力も、ブラッシング回数も、平均的にブラッシング可能な歯ブラシを提供する事に依って問題点を解決するもので有る。
【０００５】
【発明の実施の形態】
ブラシ基軸１先端近くから、ブラシ毛列群２を植毛密度、植毛法を限定しないで、基軸１長手方向４粍から６粍位植毛し、ブラシ基軸１長手方向に植毛無しの空間隔を３粍から５粍位設け、次にブラシ基軸１の長手方向に、ブラシ毛列群２を植毛密度、植毛法を限定しないで、基軸１長手方向４粍から６粍位植毛して構成し、他方のブラシ基軸１の形状は、手磨き用は市販品同様の握り易い形状図３の様にし、或いは、最近流行の電動、超音波振動歯ブラシ器に取り付けられる様に握りの部分を図示していないが嵌合式に構成して製作することも出来る。
【０００６】
又、基軸１の３の部分から先端部を図１０のＡ°を５度から３０度以内くらいに曲げて構成すると歯の内面を磨く時に磨き易く構成する事も出来、又、本発明の効果において請求の範囲から逸脱するものでは無い。
【０００７】
【実施例】
本発明の実施例として試作品は、図１の様な市販の歯ブラシを購入し、図３の様に構成し、それに基ずいて説明すると、歯ブラシ先端のブラシ毛が幅方向に少ない部分は基軸部からカッターで、ブラシ毛を切り取り、基軸部１は丸っぽく滑らかに削り取って口腔内に傷が付かない様に整形して、ブラシ毛群２を６粍幅残し、その隣の列から空間隔部としてブラシ毛２を５粍幅根元から切り取り、ブラシ毛２無しの空間隔を設け、その隣からはブラシ毛群２としてブラシ毛を６粍幅残し、その隣からは残っているブラシ毛をカッターで全て根元から切り取って構成した。そして、６粍幅のブラシ毛群２の中心の１列の毛が頂点に成る様に前後２粍を挟で斜めに刈取って略３角形と成し、その頂点から頂点の間隔は１２粍位に成形して試作品とした。（各成形寸法は本文の数字以外に修正しても、その効果に於いて本発明の請求の範囲から逸脱しない効果が得られ、又、口腔の大きさ等で図８の様に３山に構成しても請求の範囲から逸脱するものでは無い）
【０００８】
以上の様に構成した歯ブラシの作用に付いて図３から図５に基ずいて説明すると、本発明の歯ブラシを口腔内の歯列に当てると図３の様に歯並び幅にピッチが合った所は歯間、歯の谷間にブラシ毛が入り込み、空間隔部が有る為にブラシ毛２が入り込めるだけ入り易く（全体的に植毛が有ると図６の様に歯面に植毛が当たって強く押し付けないと凸出毛が有っても歯間に植毛は入り難くい）又、歯が大きくてピッチが合わない所で有っても片方は必ず歯間、歯の谷間に入り込み易い（図５）もう１方のブラシ毛は歯面に当たる、空間隔部に依って強く押し当てなくてもどちらかのブラシ毛２は歯間、歯の谷間に入る事が容易で有る。
【０００９】
又、ブラシ毛群２は、空間部を挟んで２山を構成しているのでブラシ毛群２がどの様な角度にも合う状態図４、図５はブラシ毛群が歯の頂点にきた時の状態図で有るが、凹凸に対応変化し易く口腔内で安定的に当たってブラッシングし易く歯間、谷間への入り込み、歯面へ当たりは特に強く押し付け無くても歯面、歯間、歯の谷間、歯肉との境界線にもブラシ毛群２は行き届く。
【００１０】
又、図１１の様に歯の内側を磨く時も空間部が歯を除けて歯面に当たり易く成り、特に基軸先端部分Ａ°を５度から３０度以内の角度を持たせれば、尚、歯が磨き易く成ると同時に、基軸部１が３の様に細く構成されていれば当たり面に強く押し当てられた時に弾力で図１０点線の様に撓んで歯並びの面に平均的に押し当てられ反力が吸収され易くなる。
又、図６は、本試作品を作る為に同時に購入したもう一本の市販品の歯面に当る状態を表しているが、本発明の様に試作した歯ブラシと図６の市販のままの歯ブラシで歯磨き粉を付けずに磨いてテストのため３分間ブラッシングした後の結果を歯垢染め出し液に依ってチェックした。
その結果は歯面の頂点はどちらも綺麗に成っていたが、歯間、歯の谷間、歯肉との境界線近くは本発明品で磨いた時は平均的に綺麗に磨かれていた。
【００１１】
【発明の効果】
以上の様に構成された本発明の歯間及び歯周を平均的にブラッシング可能な歯ブラシはブラシ毛を間隔をあけて植毛した事に依ってブラシ毛の自由度が増し、又、ブラシ毛の中間に略３角形の頂点を設けた事に依って歯間に入り易く成った。又、基軸１のブラシ毛中間部に細い部分を設けた事に依って基軸にもブラシ当たりの反力吸収が出来るので歯面へのブラシ当たりが柔らかく成ってブラッシング時の力の入れ過ぎが防止出来象牙質の磨耗が防止出来る。
【００１２】
【図面の簡単な説明】
【図１】は、市販の歯ブラシ。
【図２】は、本発明品の歯ブラシの平面図。
【図３】は、本発明品の歯ブラシの側面図。
【図４】
【図５】は本発明品の歯ブラシのブラシ毛の当たる状態図。
【図６】は、市販品の歯ブラシの歯面に当たる状態図。
【図７】は、
【図２】Ａ−Ａ線に沿った断面図。
【図８】は、本発明品の歯ブラシの応用例１。
【図９】、
【図１０】は、本発明品の応用例２．
【図１１】は歯の内側を磨く状態図である。
【符号の説明】
１・・・・歯ブラシの基軸
２・・・・ブラシ毛群
３・・・・基軸の細部
４・・・・歯並び（１部分）
５・・・・口腔（断面）
【図１】
2004237031.tif 000003
【図２】
2004237031.tif 000004
【図３】
2004237031.tif 000005
【図４】
2004237031.tif 000006
【図５】
2004237031.tif 000007
【図６】
2004237031.tif 000008
【図７】
2004237031.tif 000009
【図８】
2004237031.tif 000010
【図９】
2004237031.tif 000011
【図１０】
2004237031.tif 000012
【図１１】
2004237031.tif 000013
【手続補正書】
【提出日】平成15年4月11日(2003.4.11)
【手続補正１】
【補正対象書類名】明細書
【補正対象項目名】図面の簡単な説明
【補正方法】変更
【補正の内容】
【図面の簡単な説明】
【図１】は、市販の歯ブラシ。
【図２】は、本発明品の歯ブラシの平面図。
【図３】は、本発明品の歯ブラシの側面図。
【図４】は、本発明品の歯ブラシのブラシ毛の当たる状態図。
【図５】は、本発明品の歯ブラシのブラシ毛の当たる状態図。
【図６】は、市販品の歯ブラシの歯面に当たる状態図。
【図７】は、（図２）Ａ−Ａ線に沿った断面図。
【図８】は、本発明品の歯ブラシの応用例１。
【図９】は、本発明品の応用例２．
【図１０】は、本発明品の応用例３。
【図１１】は歯の内側を磨く状態図。
【符号の説明】
１・・・・歯ブラシの基軸
２・・・・ブラシ毛群
３・・・・基軸の細部
４・・・・歯並び（１部分）
５・・・・口腔（断面）